(57)【要約】【課題】セキュリティ管理情報記憶部に記録された情報が外部に漏えいする可能性を低減する情報処理装置を提供する。【解決手段】情報処理装置は、物理スイッチと、セキュリティ管理情報記憶部と、制御部とを備える。前記物理スイッチは、ユーザ操作に基づいて電源からセキュリティ管理情報記憶部へ電力を供給したり前記電源から前記セキュリティ管理情報記憶部への電力を物理的に遮断したりする。前記セキュリティ管理情報記憶部は、前記物理スイッチに接続される。前記制御部は、前記セキュリティ管理情報記憶部にアクセスしデータを読み書きする。【選択図】図１
2015079290.tif 000002
【特許請求の範囲】
【請求項１】
ユーザ操作に基づいて電源とセキュリティ管理情報記憶部との間を物理的に開閉する物理スイッチと、
前記物理スイッチに接続されるセキュリティ管理情報記憶部と、
前記セキュリティ管理情報記憶部にアクセスしデータを読み書きする制御部と
を備える情報処理装置。
【請求項２】
前記制御部は、ユーザが選択するデータの保存場所が前記セキュリティ管理情報記憶部であるか否かをユーザ操作による入力情報に基づいて判定し、データの保存場所が前記セキュリティ管理情報記憶部であると判定した場合に前記セキュリティ管理情報記憶部にデータを読み書きする
請求項１に記載の情報処理装置。
【請求項３】
前記制御部は、検出する電圧値に基づいて前記物理スイッチが閉状態であるか否かを判定し、前記物理スイッチが閉状態であると判定した場合に前記セキュリティ管理情報記憶部にデータを読み書きする
請求項１または請求項２に記載の情報処理装置。
【請求項４】
前記物理スイッチは、スライドされることにより開状態と閉状態とが切り替わる
請求項１から請求項３の何れか一項に記載の情報処理装置。
【請求項５】
前記物理スイッチは、押下されることにより開状態と閉状態とが切り替わる
請求項１から請求項３の何れか一項に記載の情報処理装置。
【請求項６】
前記物理スイッチは、回転されることにより開状態と閉状態とが切り替わる
請求項１から請求項３の何れか一項に記載の情報処理装置。
【請求項７】
入力されたパスワードが、記憶部に記録されているパスワードと一致するか否かを判定するパスワード判定部
を備える請求項１から請求項６の何れか一項に記載の情報処理装置。
【請求項８】
ユーザ操作に基づいて電源とセキュリティ管理情報記憶部との間を物理的に開閉する物理スイッチと、
前記物理スイッチに接続されるセキュリティ管理情報記憶部と、
前記セキュリティ管理情報記憶部にアクセスしデータを読み書きする制御部と
を備える端末装置。
【請求項９】
ユーザ操作に基づいて電源とセキュリティ管理情報記憶部との間を物理的に開閉し、
前記セキュリティ管理情報記憶部にアクセスしデータを読み書きする
情報処理装置制御方法。
【請求項１０】
情報処理装置のコンピュータを、
ユーザ操作に基づいて電源との間を物理的に開閉する物理スイッチに接続されるセキュリティ管理情報記憶部に、アクセスしデータを読み書きする制御手段
として機能させるためのプログラム。
【発明の詳細な説明】
【技術分野】
【０００１】
本発明は、情報処理装置、端末装置、情報処理装置制御方法、及びプログラムに関する。
【背景技術】
【０００２】
情報処理装置は、ＯＳ（Ｏｐｅｒａｔｉｎｇ  Ｓｙｓｔｅｍ）やアプリケーションプログラムなどのデータを記憶する記憶部を備えている。スマートフォンなどの情報処理装置では、アプリケーションプログラムを記憶部にダウンロードし、インストールすることで、アプリケーションプログラムが使用できるようになることが一般的である。
ところが、ダウンロードしてインストールしたプログラムの中には、ユーザの意図に関係なく内部のデータを外部に送信するアプリケーションが存在する。
特許文献１から特許文献４には、関連する技術として情報のセキュリティに関する技術が記載されている。
【先行技術文献】
【特許文献】
【０００３】
【特許文献１】特開２０１１−１８０７６１号公報
【特許文献２】特開２００７−２１３４８４号公報
【特許文献３】特開平５−３４２１６１号公報
【特許文献４】特開平５−１５１０９１号公報
【発明の概要】
【発明が解決しようとする課題】
【０００４】
ところで、ユーザの意図に関係なく内部のデータを外部に送信するアプリケーションが情報処理装置にインストールされた場合であっても、情報が情報処理装置の外部に漏えいしない技術が求められていた。
【０００５】
そこでこの発明は、上記の課題を解決することのできる情報処理装置、端末装置、情報処理装置制御方法、及びプログラムを提供することを目的としている。
【課題を解決するための手段】
【０００６】
上記目的を達成するために、本発明の一態様によれば、情報処理装置は、ユーザ操作に基づいて電源とセキュリティ管理情報記憶部との間を物理的に開閉する物理スイッチと、前記物理スイッチに接続されるセキュリティ管理情報記憶部と、前記セキュリティ管理情報記憶部にアクセスしデータを読み書きする制御部とを備える。
【０００７】
また本発明の別の態様によれば、端末装置は、ユーザ操作に基づいて電源とセキュリティ管理情報記憶部との間を物理的に開閉する物理スイッチと、前記物理スイッチに接続されるセキュリティ管理情報記憶部と、前記セキュリティ管理情報記憶部にアクセスしデータを読み書きする制御部とを備える。
【０００８】
また本発明の別の態様によれば、情報処理装置制御方法は、ユーザ操作に基づいて電源とセキュリティ管理情報記憶部との間を物理的に開閉し、前記セキュリティ管理情報記憶部にアクセスしデータを読み書きする。
【０００９】
また本発明の別の態様によれば、プログラムは、情報処理装置のコンピュータを、ユーザ操作に基づいて電源との間を物理的に開閉する物理スイッチに接続されるセキュリティ管理情報記憶部に、アクセスしデータを読み書きする制御手段として機能させる。
【発明の効果】
【００１０】
本発明によれば、セキュリティ管理情報記憶部に記録された情報が外部に漏えいする可能性を低減する。
【図面の簡単な説明】
【００１１】
【図１】本発明の情報処理装置１０の最小構成の一例を示す図である。
【図２】本発明の第一の実施形態による情報処理装置１０のブロック図の一例を示す図である。
【図３】本発明の第一の実施形態による情報処理装置１０の外観の一例を示す図である。
【図４】本発明の第一の実施形態による情報処理装置１０の処理フローの一例を示す図である。
【図５】本発明の第二の実施形態による情報処理装置１０のブロック図の一例を示す図である。
【図６】本発明の第二の実施形態による情報処理装置１０の処理フローの一例を示す図である。
【図７】本発明の第三の実施形態による情報処理装置１０のブロック図の一例を示す図である。
【図８】本発明の第三の実施形態による情報処理装置１０の処理フローの一例を示す図である。
【発明を実施するための形態】
【００１２】
図１は、本発明の情報処理装置１０の最小構成の一例を示す図である。
本発明の情報処理装置１０は、図１で示すように、少なくとも物理スイッチ１０１と、セキュリティ管理情報記憶部１０２と、制御部１０３とを備える。
【００１３】
物理スイッチ１０１は、２つの端子を持ち、閉状態でそれらの端子を接続し、開状態でそれらの端子を物理的に遮断する。物理スイッチ１０１の２つの端子のうちの一方は、電源に接続されている。物理スイッチ１０１の２つの端子のうちの他方は、セキュリティ管理情報記憶部１０２に接続されている。物理スイッチ１０１は、ユーザ操作に基づいて開状態や閉状態となる。物理スイッチ１０１は、開状態となっているときに電源からセキュリティ管理情報記憶部１０２への電力を物理的に遮断する。物理スイッチ１０１は、閉状態となっているときに電源からセキュリティ管理情報記憶部１０２へ電力を伝送する。
【００１４】
セキュリティ管理情報記憶部１０２は、ユーザがセキュリティを高めたいと判断した情報を記憶する。セキュリティ管理情報記憶部１０２は、物理スイッチ１０１と制御部１０３とに接続されている。
【００１５】
制御部１０３は、セキュリティ管理情報記憶部１０２にアクセスし情報を読み書きする。制御部１０３は、物理スイッチ１０１の開閉状態を検出する。制御部１０３は、物理スイッチ１０１が閉状態の場合、セキュリティ管理情報記憶部１０２にアクセスできる。制御部１０３は、物理スイッチ１０１が開状態の場合、セキュリティ管理情報記憶部１０２にアクセスできない。
【００１６】
＜第一の実施形態＞
図２は、本発明の第一の実施形態による情報処理装置１０のブロック図の一例を示す図である。
図２で示すように、第一の実施形態による情報処理装置１０は、図１で示した情報処理装置１０の最小構成を示す機能に加え、通常記憶部１０４と、電源１０５と、表示部１１０とを備える。
【００１７】
通常記憶部１０４は、ユーザがセキュリティを高めたいと判断しない情報を記憶している記憶部である。通常記憶部１０４は、制御部１０３と電源１０５とに接続されている。通常記憶部１０４は、電源１０５から電力を受電している。通常記憶部１０４は、電源１０５から電力を受電しているため、制御部１０３からアクセス可能な状態である。
電源１０５は、電力を供給する。電源１０５は、常時制御部１０３と通常記憶部１０４に電力を供給する。電源１０５は、物理スイッチ１０１が閉状態の場合、セキュリティ管理情報記憶部１０２に電力を供給する。
表示部１１０は、情報処理装置１０における操作メニューや、画像などの様々な情報を表示する。表示部１１０は、例えば液晶タッチパネルである。
【００１８】
図３は、本発明の第一の実施形態による情報処理装置１０の外観の一例を示す図である。
第一の実施形態による情報処理装置１０は、例えばスマートフォンである。情報処理装置１０は、この図で示すように、例えば表示部１１０の下方の位置に物理スイッチ１０１を備えているものとする。ここで示す例の物理スイッチ１０１は、スライドスイッチであり、左側にスライドさせると物理スイッチ１０１が閉状態となる。このことにより、セキュリティ管理情報記憶部１０２は、電源１０５から電力を受電する。そして、制御部１０３は、セキュリティ管理情報記憶部１０２にアクセスできるようになる。また、ここで示す例の物理スイッチ１０１は、右側にスライドさせると物理スイッチ１０１が開状態となる。このことにより、セキュリティ管理情報記憶部１０２の電源１０５から受電する電力が遮断される。
【００１９】
図４は、本発明の第一の実施形態による情報処理装置１０の処理フローの一例を示す図である。
次に、第一の実施形態による情報処理装置１０の処理フローを説明する。
第一の実施形態による情報処理装置１０の処理フローは、ユーザが情報をセキュリティ管理情報記憶部１０２に記録する場合の処理フローである。
【００２０】
例えば、ユーザが情報処理装置１０を使用して写真撮影したとする。そして、ユーザが情報処理装置１０に対して、撮影した写真のデータを保存するユーザ操作を行う。
情報処理装置１０の制御部１０３は、ユーザ操作に応じたデータ保存信号を入力する（ステップＳ１）。
制御部１０３は、データ保存信号を入力すると、ユーザにデータの保存場所を選択させるメッセージを表示させる表示制御信号を表示部１１０に出力する。表示部１１０は、制御部１０３から表示制御信号を入力すると、ユーザにデータの保存場所を選択させるメッセージを表示する。ここで表示部１１０が表示するデータの保存場所は、例えば、セキュリティ管理情報記憶部１０２と通常記憶部１０４である。そして制御部１０３は、ユーザが選択するデータの保存場所がセキュリティ管理情報記憶部１０２であるか否かを判定する（ステップＳ２）。
【００２１】
このステップＳ２において、ユーザがデータの保存場所として、通常記憶部１０４を選択するユーザ操作を行ったとする。例えば、表示部１１０が液晶タッチパネルである場合、このユーザ操作は表示部１１０が表示するメニューへのタップである。
表示部１１０は、このユーザ操作に応じて、通常記憶部１０４が選択されたことを示す通常選択信号を制御部１０３に出力する。
制御部１０３は、表示部１１０から通常選択信号を入力すると、ユーザが選択するデータの保存場所がセキュリティ管理情報記憶部１０２ではないと判定する（ステップＳ２、ＮＯ）。制御部１０３は、画像データを通常記憶部１０４に記録する（ステップＳ３）。制御部１０３は、通常記憶部１０４への画像データの記録を完了すると、表示部１１０にデータの記録の完了を示すデータ記録完了信号を送信する。
表示部１１０は、制御部１０３からデータ記録完了信号を入力すると、データ記録が完了した旨を表示する（ステップＳ８）。そして、情報処理装置１０におけるデータの保存処理は終了する。
【００２２】
このステップＳ２において、ユーザがデータの保存場所として、セキュリティ管理情報記憶部１０２を選択するユーザ操作を行ったとする。
表示部１１０は、このユーザ操作に応じて、セキュリティ管理情報記憶部１０２が選択されたことを示すセキュリティ選択信号を制御部１０３に出力する。
制御部１０３は、表示部１１０からセキュリティ選択信号を入力すると、ユーザが選択するデータの保存場所がセキュリティ管理情報記憶部１０２であると判定する（ステップＳ２、ＹＥＳ）。
【００２３】
ステップＳ２の処理により、制御部１０３がデータの保存場所がセキュリティ管理情報記憶部１０２であると判定した場合、制御部１０３は、セキュリティ管理情報記憶部１０２にアクセスできるか否かを判定する。そのため、制御部１０３は、物理スイッチ１０１が閉状態であるか否かを判定する（ステップＳ４）。
例えば、物理スイッチ１０１が開状態から閉状態になると、電源１０５からセキュリティ管理情報記憶部１０２に電力を伝送する伝送経路ができると共に、電源１０５から作り出した所定の電圧Ｖａを伝送する別の伝送経路が制御部１０３に対してできるとする。ステップＳ４の処理において、制御部１０３は、電源１０５から作り出した所定の電圧Ｖａを検出しない場合、物理スイッチ１０１が閉状態ではないと判定する（ステップＳ４、ＮＯ）。この判定結果は、制御部１０３がセキュリティ管理情報記憶部１０２にアクセスできないことを意味する。このとき、制御部１０３は、表示部１１０に物理スイッチ１０１を閉状態にする旨のメッセージを示す閉状態メッセージ信号を出力する。表示部１１０は、制御部１０３から閉状態メッセージ信号を入力すると、物理スイッチ１０１を閉状態にする旨のメッセージを表示する（ステップＳ５）。そして、制御部１０３は、所定時間内に物理スイッチ１０１が閉状態になるか否かを判定する（ステップＳ６）。
【００２４】
ステップＳ６の処理において、制御部１０３が所定時間内に物理スイッチ１０１が閉状態にならなかったと判定する（ステップＳ６、ＮＯ）。この判定結果は、制御部１０３がセキュリティ管理情報記憶部１０２にアクセスできないことを意味する。情報処理装置１０におけるデータの保存処理が終了する。
また、ユーザが表示部１１０物理スイッチ１０１を閉状態にする旨のメッセージを見て、所定時間内にユーザが物理スイッチ１０１を閉状態にする操作を行う。この場合、ステップＳ６の処理において、制御部１０３が所定時間内に物理スイッチ１０１が閉状態になったと判定する（ステップＳ６、ＹＥＳ）。この判定結果は、制御部１０３がセキュリティ管理情報記憶部１０２にアクセスできることを意味する。制御部１０３は、画像データをセキュリティ管理情報記憶部１０２に記録する（ステップＳ７）。
【００２５】
また、ステップＳ４の処理において、制御部１０３は、電源１０５から作り出した所定の電圧Ｖａを検出する場合、物理スイッチ１０１が閉状態であると判定する（ステップＳ４、ＹＥＳ）。この判定結果は、制御部１０３がセキュリティ管理情報記憶部１０２にアクセスできることを意味する。制御部１０３は、画像データをセキュリティ管理情報記憶部１０２に記録する（ステップＳ７）。
制御部１０３は、セキュリティ管理情報記憶部１０２への画像データの記録を完了すると、表示部１１０にデータの記録の完了を示すデータ記録完了信号を送信する。
表示部１１０は、制御部１０３からデータ記録完了信号を入力すると、データ記録が感慮した旨を表示する（ステップＳ８）。そして、情報処理装置１０におけるデータの保存処理は終了する。ここで、ユーザは、表示部１１０が表示するメッセージを見て物理スイッチ１０１をスライドし開状態とすればよい。
【００２６】
なお、上述の処理フローのステップＳ４において、制御部１０３は、物理スイッチ１０１の開閉状態を判定した。そして、制御部１０３は、その判定結果に基づいて、セキュリティ管理情報記憶部１０２にアクセスできるか否かを判定した。しかしながら、制御部１０３は、セキュリティ管理情報記憶部１０２にアクセスできるか否かの判定を行わずセキュリティ管理情報記憶部１０２に直接アクセスし、データを書き込みしてもよい。
また、上述の処理フローでは、データの保存、すなわち書き込みについて説明した。しかしながら、上述の処理フローは、データ保存信号をデータ書き込み信号として処理を行い、書き込みを読み出しに置き替えることで、読み出しのフローとみなすことができる。
【００２７】
以上、本発明の実施形態による情報処理装置１０について説明したが、上述の情報処理装置１０の処理によれば、ユーザの意図に関係なく内部のデータを外部に送信するアプリケーションが情報処理装置にインストールされた場合であっても、物理スイッチ１０１が開状態であれば、情報処理装置１０が備えるセキュリティ管理情報記憶部１０２は外部からアクセスされることがなく、セキュリティ管理情報記憶部１０２に記録された情報が外部に漏えい可能性を低減する。
【００２８】
＜第二の実施形態＞
次に、本発明の第二の実施形態による情報処理装置１０について説明する。
図５は、本発明の第二の実施形態による情報処理装置１０のブロック図の一例を示す図である。
第二の実施形態による情報処理装置１０の構成は、図２で示した第一の実施形態による情報処理装置１０の制御部１０３がパスワード判定部１０６を備えた構成である。
パスワード判定部１０６は、情報処理装置１０の入力されたパスワードと通常記憶部１０４に記録されているパスワードとを比較し、一致するか否かを判定する。パスワード判定部１０６が入力されたパスワードと通常記憶部１０４に記録されているパスワードとが一致すると判定した場合、制御部１０３はセキュリティ管理情報記憶部１０２にアクセス可能となる。
【００２９】
図６は、本発明の第二の実施形態による情報処理装置１０の処理フローの一例を示す図である。
次に、第二の実施形態による情報処理装置１０の処理フローを説明する。
図６で示す第二の実施形態による情報処理装置１０の処理フローは、図４で示した第一の実施形態による情報処理装置１０の処理フローにパスワードを判定するステップＳ９とステップＳ１０の処理を追加した処理フローである。
ステップＳ４の処理で制御部１０３が物理スイッチ１０１が閉状態であると判定した場合（ステップＳ４、ＹＥＳ）、または、ステップＳ６の処理で制御部１０３が所定時間内に物理スイッチ１０１が閉状態になったと判定した場合（ステップＳ６、ＹＥＳ）、例えば表示部１１０がパスワード入力を促すメッセージを表示する。ここでユーザがパスワードを入力する操作を行う。
【００３０】
パスワード判定部１０６は、このパスワードを入力するユーザ操作に応じたパスワードを入力する（ステップＳ９）。パスワード判定部１０６は、パスワードを入力すると、通常記憶部１０４に記録されているパスワードを読み出す。パスワード判定部１０６は、入力されたパスワードと通常記憶部１０４から読み出したパスワードとを比較し、一致するか否かを判定する（ステップＳ１０）。
【００３１】
パスワード判定部１０６が入力されたパスワードと通常記憶部１０４から読み出したパスワードとが一致すると判定した場合（ステップＳ１０、ＹＥＳ）、制御部１０３は、画像データをセキュリティ管理情報記憶部１０２に記録する（ステップＳ７）。
パスワード判定部１０６が入力されたパスワードと通常記憶部１０４から読み出したパスワードとが一致しないと判定した場合（ステップＳ１０、ＮＯ）、情報処理装置１０におけるデータの保存処理が終了する。
【００３２】
以上、本発明の実施形態による情報処理装置１０について説明したが、上述の情報処理装置１０の処理によれば、ユーザの意図に関係なく内部のデータを外部に送信するアプリケーションが情報処理装置にインストールされた場合であっても、物理スイッチ１０１が開状態であれば、情報処理装置１０が備えるセキュリティ管理情報記憶部１０２は外部からアクセスされることがなく、セキュリティ管理情報記憶部１０２に記録された情報が外部に漏えい可能性を低減する。
また、パスワード判定部１０６により、物理スイッチ１０１が閉状態であっても、セキュリティ管理情報記憶部１０２は外部から容易にアクセスされることがなく、セキュリティ管理情報記憶部１０２に記録された情報が外部に漏えい可能性を低減する。
【００３３】
＜第三の実施形態＞
次に、本発明の第三の実施形態による情報処理装置１０について説明する。
図７は、本発明の第三の実施形態による情報処理装置１０のブロック図の一例を示す図である。
第三の実施形態による情報処理装置１０の構成は、図２で示した第一の実施形態による情報処理装置１０に所定の電圧Ｖｂを伝送する別の伝送経路を備えた構成である。
物理スイッチ１０１は、閉状態に電源１０５からセキュリティ管理情報記憶部１０２へ電圧を伝送する伝送経路や電圧Ｖａを伝送する伝送経路とは別に、電圧Ｖｂを伝送する伝送経路を形成する。
制御部１０３は、検出する電圧値に基づいて電圧Ｖｂの伝送経路を検出する。また、制御部１０３は、所定の時間が経過すると電源１０５が出力する電圧を制御する。
電源１０５は、制御部１０３から入力した制御信号に基づいて、出力する電圧を決定する。
【００３４】
図８は、本発明の第三の実施形態による情報処理装置１０の処理フローの一例を示す図である。
次に、第三の実施形態による情報処理装置１０の処理フローを説明する。
図８で示す第三の実施形態による情報処理装置１０の処理フローは、物理スイッチ１０１が所定の時間閉状態が継続した場合、電源１０５からセキュリティ管理情報記憶部１０２への電圧供給を遮断する処理フローである。
なお、電源１０５は、初期段階ではセキュリティ管理情報記憶部１０２への電圧は遮断しているものとする。また、電源１０５は、初期段階では電圧Ｖｂ検出経路への電圧は供給しているものとする。
【００３５】
ユーザがセキュリティ管理情報記憶部１０２を使用するために物理スイッチ１０１を閉状態にする。
すると、制御部１０３は、電圧Ｖｂ検出経路を介して電圧Ｖｂボルトを検出する。制御部１０３は、この電圧Ｖｂボルトを検出したことにより、電圧Ｖｂの伝送経路が形成され、物理スイッチ１０１が閉状態になったと判定する（ステップＳ１１）。
制御部１０３は、物理スイッチ１０１が閉状態になったと判定すると、例えばカウンタ回路を利用したタイマを０からスタートさせる。そして、制御部１０３は、タイマによる計測値に基づいて、所定時間が経過したか否かを判定する（ステップＳ１２）。
【００３６】
制御部１０３は、タイマが所定の計測値に到達していないと判断した場合、所定時間が経過していないと判定する（ステップＳ１２、ＮＯ）。この場合、制御部１０３は、電圧Ｖｂを検出するか否かに基づいて、物理スイッチ１０１が開状態か否かを判定する（ステップＳ１３）。
ここで、制御部１０３が電圧Ｖｂを検出した場合、制御部１０３は物理スイッチ１０１が閉状態のままである、すなわち開状態ではないと判定する（ステップＳ１３、ＮＯ）。そして、ステップＳ１２の所定の時間が経過したか否かの判定処理に戻る。
また、制御部１０３が電圧Ｖｂを検出しない場合、制御部１０３は物理スイッチ１０１が開状態になったと判定する（ステップＳ１３、ＹＥＳ）。そして、ステップＳ１１の物理スイッチ１０１が閉状態であるか否かの判定処理に戻る。
【００３７】
また、制御部１０３は、タイマが所定の計測値に到達したと判断した場合、所定時間が経過したと判定する（ステップＳ１２、ＹＥＳ）。この場合、制御部１０３は、セキュリティ管理情報記憶部１０２への電圧供給を遮断する指示を示す制御信号を電源１０５に送信する。
電源１０５は、制御部１０３から電圧供給を遮断する指示を示す制御信号を受信すると、セキュリティ管理情報記憶部１０２への電圧供給を遮断する（ステップＳ１４）。
【００３８】
制御部１０３は、セキュリティ管理情報記憶部１０２への電圧供給を遮断する指示を示す制御信号を電源１０５に送信すると、物理スイッチ１０１が開状態から閉状態へ変化するか否かを判定する（ステップＳ１５）。制御部１０３は、電圧Ｖｂを検出しなくなり、その後電圧Ｖｂを検出した場合に物理スイッチが開状態から閉状態へ変化したと判定する。制御部１０３は、所定の時間間隔でこの判定を行う。
物理スイッチが開状態から閉状態へ変化しないと制御部１０３が判定した場合（ステップＳ１５、ＮＯ）、制御部１０３は所定時間後に再度この判定を行う。
物理スイッチが開状態から閉状態へ変化したと制御部１０３が判定した場合（ステップＳ１５、ＹＥＳ）、セキュリティ管理情報記憶部１０２への電圧供給を指示する制御信号を電源１０５に送信する。
電源１０５は、制御部１０３からセキュリティ管理情報記憶部１０２への電圧供給を指示する制御信号を受信すると、セキュリティ管理情報記憶部１０２へ電圧を供給する（ステップＳ１６）。
次に、ユーザが情報処理装置１０の主電源をオフせず情報処理装置１０の処理を継続する、すなわち処理を終了しない場合（ステップＳ１７、ＮＯ）、ステップＳ１２の所定時間が経過したか否かの判定処理に戻る。
また、ユーザが情報処理装置１０の主電源をオフし情報処理装置１０の処理を終了した場合（ステップＳ１７、ＹＥＳ）、この処理フローが終了する。
【００３９】
以上、本発明の実施形態による情報処理装置１０について説明したが、上述の情報処理装置１０の処理によれば、ユーザの意図に関係なく内部のデータを外部に送信するアプリケーションが情報処理装置１０にインストールされた場合であっても、物理スイッチ１０１が開状態であれば、情報処理装置１０が備えるセキュリティ管理情報記憶部１０２は外部からアクセスされることがなく、セキュリティ管理情報記憶部１０２に記録された情報が外部に漏えい可能性を低減する。
また、制御部１０３が、物理スイッチ１０１が所定の時間閉状態であった場合、電源１０５に対してセキュリティ管理情報記憶部１０２への電圧供給を遮断する制御を行うことで、セキュリティ管理情報記憶部１０２に記録された情報が外部に漏えい可能性を低減する。
【００４０】
なお本発明の実施形態において情報処理装置１０は、スマートフォンなどの端末装置に限定するものではない。情報処理装置１０は、パーソナルコンピュータやサーバなどの情報処理装置であってもよい。
また、本発明の実施形態において物理スイッチ１０１は、スライドスイッチを例に説明したが、それに限定するものではない。物理スイッチ１０１は、ユーザ操作により伝送経路が物理的に接続と切断がされる範囲、すなわち閉状態と開状態となる範囲においてどのようなスイッチであってもよい。例えば、物理スイッチ１０１は、押下されることにより、閉状態と開状態とが切り替わるスイッチであってもよい。また、物理スイッチ１０１は、回転されることにより、閉状態と開状態とが切り替わるスイッチであってもよい。
【００４１】
なお本発明の実施形態について説明したが、上述の情報処理装置１０は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４３】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００４４】
１０・・・情報処理装置
１０１・・・物理スイッチ
１０２・・・セキュリティ管理情報記憶部
１０３・・・制御部
１０４・・・通常記憶部
１０５・・・電源
１０６・・・パスワード判定部
１１０・・・表示部
【図１】
2015079290.tif 000003
【図２】
2015079290.tif 000004
【図３】
2015079290.tif 000005
【図４】
2015079290.tif 000006
【図５】
2015079290.tif 000007
【図６】
2015079290.tif 000008
【図７】
2015079290.tif 000009
【図８】
2015079290.tif 000010